(57)【要約】集積回路は、通常の動作モードと試験モードとの間を切り換え可能である。機能回路及び試験パターン変換器は共に、入力接点、出力接点及び集積回路の再定義可能接点の間に結合される。試験モードにおいて、試験パターン変換器は、出力接点及び回路構成に依存して、再定義可能接点をそれぞれ駆動する。試験パターン変換器は、回路構成に依存して、再定義可能接点が入力接点又は出力接点として使用されるようにしながら、入力接点における信号と出力接点における信号との間に第１及び第２の関係を提供するように構成される。これら関係は、再定義可能接点が入力接点及び出力接点としてそれぞれ用いられるようにして、縮退及びクロスコネクトエラーの試験を可能にするように選択される。
2005500536.tif 000002
【特許請求の範囲】
【請求項１】
通常の動作モードと試験モードとの間を切り換え可能な集積回路であり、入力接点、出力接点及び回路構成に依存して選択される入力又は出力機能を持つ再定義可能接点を持つ前記集積回路において、
−機能回路及び試験パターン変換器を有し、これらは前記入力接点、前記出力接点及び前記再定義可能接点の間に結合され、前記機能回路及び前記試験パターン変換器は、前記通常の動作モード及び前記試験モードそれぞれにおいて、前記出力接点及び前記回路構成に依存して前記再定義可能接点を駆動させ、前記試験パターン変換器は、前記回路構成に依存して、前記再定義可能接点が入力接点又は出力接点としてそれぞれ使用されるようにしながら、前記入力接点における信号と前記出力接点における信号との間に第１及び第２の関係を提供するように構成され、前記関係は、前記再定義可能接点が入力接点及び出力接点としてそれぞれ用いられるようにして、縮退及びクロスコネクトエラーの試験を可能にするように選択される集積回路。
【請求項２】
請求項１に記載の集積回路において、前記回路構成により可能又は不可能となる制御可能結合部を有し、前記試験パターン変換器は、前記入力接点に結合される第１の入力部、前記出力接点に結合される第１の出力部、前記再定義可能接点に結合される第２の入力部、及び前記制御可能結合部を介して前記再定義可能接点に結合される第２の出力部を有する集積回路。
【請求項３】
請求項２に記載の集積回路において、前記第１及び第２の入力部と前記第１及び第２の出力部との間に結合される前記試験パターン変換器は、排他的論理和及び／又は排他的論理否定和回路の集合体を有するので、各出力部における信号が前記第１及び第２の入力部の各々の集合からの信号からなる排他的論理和に依存し、各集合は、少なくとも２つの前記入力接点を含み、２つの集合は、同じではない、又は前記第２の入力部が無ければ同じであり、前記第１及び第２の入力部の各々は、前記集合の少なくとも１つに属している集積回路。
【請求項４】
請求項３に記載の集積回路において、前記第２の出力部に関連する前記集合は、前記第２の入力部を含まない集積回路。
【請求項５】
請求項３に記載の集積回路において、第１及び第２のサブ変換器並びにマルチプレクサを有し、前記第１及び第２のサブ変換器は、前記第１及び第２の入力／出力関係をそれぞれ持ち、前記第１及び第２のサブ変換器の出力部は、前記出力接点及び前記制御可能結合部の入力部に結合され、前記第１のサブ変換器の入力部は、前記入力接点及び前記再定義可能接点に結合され、前記第２のサブ変換器の入力部は前記入力接点に結合される集積回路。
【請求項６】
−第１及び第２の接点並びに前記第１及び第２の接点に試験データをそれぞれ書き込む及び読み取るための試験インタフェースを有する１つ以上の第１の集積回路、
−入力接点、出力接点及び回路構成に依存して選択される入力機能又は出力機能を持つ再定義可能接点を持つ第２の集積回路、及び
−第１の接点と前記入力接点との間、前記第２の接点と前記出力接点との間、及び前記再定義可能接点と前記第１又は第２の接点との間の接続、
を有する電子回路において、前記第２の集積回路は、通常の動作モードと試験モードとの間を切り換えることが可能であり、前記第２の集積回路は、共に前記入力接点、前記出力接点、及び前記再定義可能接点の間に結合される機能回路及び試験パターン変換器を有し、前記機能回路及び試験パターン変換器は、前記通常の動作モード及び前記試験モードそれぞれにおいて、前記出力接点、及び前記回路構成に依存して、前記再定義可能接点を駆動させ、前記試験パターン変換器は、前記回路構成に依存して、前記再定義可能接点が入力接点又は出力接点としてそれぞれ使用されるようにしながら、前記入力接点における信号と前記出力接点における信号との間に第１及び第２の関係を供給するように構成され、前記関係は、前記再定義可能接点が入力接点及び出力接点としてそれぞれ用いられるようにして、縮退及びクロスコネクトエラーの試験を可能にするように選択される電子回路。
【請求項７】
請求項６に記載の電子回路において、前記回路構成により可能又は不可能となる制御可能結合部を有し、前記試験パターン変換器は、前記入力接点に結合される第１の入力部、前記出力部に結合される第１の出力部、前記再定義可能接点に結合される第２の入力部、及び前記制御可能結合部を介して前記再定義可能接点に結合される第２の出力部を有する電子回路。
【請求項８】
請求項７に記載の電子回路において、前記第１及び第２の入力部と前記第１及び第２の出力部との間に結合される前記試験パターン変換器は、排他的論理和及び／又は排他的論理否定和の集合体を有するので、各出力部における信号が前記第１及び第２の入力部の各々の集合からの信号からなる排他的論理和に依存し、各集合は、少なくとも２つの前記入力接点を含み、２つの集合は、同じではない、又は前記第２の接点が無ければ同じであり、前記第１及び第２の入力部の各々は、前記集合の少なくとも１つに属している電子回路。
【請求項９】
請求項８に記載の電子回路において、前記第２の出力部に関連する前記集合は、前記第２の入力部を含まない電子回路。
【請求項１０】
請求項７に記載の電子回路において、第１及び第２のサブ変換器並びにマルチプレクサを有し、前記第１及び第２のサブ変換器は、前記第１及び第２の入力／出力関係をそれぞれ持ち、前記第１及び第２のサブ変換器の出力部は、前記出力接点及び前記制御可能結合部の前記入力部に結合され、前記第１のサブ変換器の入力部は、前記入力接点及び前記再定義可能接点に結合され、前記第２のサブ変換器の入力部は前記入力接点に結合される電子回路。
【請求項１１】
通常の動作モードと試験モードとの間を切り換え可能な集積回路を含む電子回路を試験する方法であり、前記集積回路は、入力接点、出力接点及び回路構成に依存して選択される入力又は出力機能を持つ再定義可能接点を持ち、前記集積回路は、試験モードにおいて、前記回路構成に依存して、前記再定義可能接点が入力接点又は出力接点としてそれぞれ使用されるようにしながら、前記入力接点における信号と前記出力接点における信号との間に第１及び第２の関係を提供し、前記関係は、前記再定義可能接点が入力接点及び出力接点としてそれぞれ用いられるようにして、縮退及びクロスコネクトエラーの試験を可能にするように選択される方法において、
−前記回路構成に依存して、前記再定義可能接点が入力接点又は出力接点としてそれぞれ使用されるようにしながら、前記入力接点における信号と前記出力接点における信号との間の第１及び第２の入力／出力関係の間を前記集積回路が切り換わるステップ、
−連続する入力信号の組を前記入力接点及び前記回路構成に依存する前記再定義可能接点に与えるので、前記集積回路は通常、エラーを起こさずに接続され、各入力及び出力は、結果生じる出力信号を持つ入力信号の前記組における全ての可能な論理値となり、入力の如何なる組の信号、出力部の如何なる組の信号及び入力及び出力の両方からなる如何なる組の信号の間における差のそれぞれは、結果生じる出力信号を持つ入力信号の前記組における全ての可能な論理値となるステップ、
−前記入力信号に応じて出力信号を観測するステップ、及び
−前記集積回路がエラーを起こさずに接続されるときに起こるべき前記出力信号からの偏差があるかを検出するステップ、
を有する方法。
【発明の詳細な説明】
【０００１】
【発明の属する技術分野】
本発明は、電子回路及びこのような電子回路を試験する方法に関する。
【０００２】
【従来の技術】
従来では、電気回路の試験は、バウンダリスキャン回路（ｂｏｕｎｄａｒｙ ｓｃａｎ ｃｉｒｃｕｉｔ）を使用して行われる。しかしながら、このバウンダリスキャン回路は、専用の試験ピンを備えた集積回路を使用する必要があり、これは必ずしも望ましいものではない。
【０００３】
国際特許出願番号ＷＯ９９／３９２１８は、専用の試験接点を使用せずに、又はバウンダリスキャン試験に必要とされるよりも少ない試験接点を少なくとも使用して、回路を試験することを提供する集積回路を記載している（ここで“接点”とは、集積回路が外部回路に接続されることが可能な、例えばピン、接着パッド等を含む何れかの端子に関する一般的な用語として用いられる）。
【０００４】
この既知の集積回路は、試験モードに切り換えられることができて、この試験モードにおいて、この集積回路は、入力接点における信号と出力接点における信号との間に特別な関係を達成する回路において切り換わる。この特別な関係は、集積回路への接続及びこの回路からの接続における故障の完全な組を作成するように構成され、前記集積回路は、これらの接続を介して一連の入力信号をこれら集積回路に供給することにより、出力接点において観測可能である。
【０００５】
好ましくは、この観測可能な故障の組は、縮退故障（ｓｔａｃｋ ａｔ ｆａｕｌｔ）及び論理積故障（ａｎｄ ｆａｕｌｔ）を含む。このような故障に対する試験を行うために、前記特別な関係は、幾つかの可能な入力信号値に対し、如何なる入力接点における信号又は出力接点からの接続が論理レベルで縮退される場合、若しくはその論理レベルが出力接点からの他の入力接点又は接続における信号の論理レベルから独立して変化しない場合、出力部において予測される故障しない信号から観測可能な偏差とならなければならない。この組を観測可能にするために、国際公開番号ＷＯ９９／３９２１８は、以下の必要条件を満たす特別な関係を使用することを開示している。
（１）各接点の入力信号は、出力接点の少なくとも１つにおける出力信号に作用すべきである。
（２）各出力接点における出力信号は、２つ以上の入力接点における信号の排他的論理和（ｅｘｃｌｕｓｉｖｅ ｏｒ）として変化しなければならない。
（３）２つの出力接点における出力信号が同じ入力接点からの入力信号のみに依存すべきでない。
【０００６】
この入力／出力関係は、相互接続される排他的論理和ゲートの組、又は入力接点からの信号によりアドレッシングされる単一メモリを用いて達成されてもよく、これのデータ出力は、試験モードにおいて集積回路の出力接点に結合される。これは、入力接点に信号を与えるために電子回路における他の回路からのドライバを使用して、及び他の回路との入力接点から結果生じる応答を読み取ることにより、集積回路が電子回路に搭載された後の集積回路との接続を試験することが可能となる。
【０００７】
【発明が解決しようとする課題】
しかしながら、この技術は、集積回路の接点の幾つかが、この集積回路が組み込まれる電子回路に依存して、入力部又は出力部として機能する可能性を考えてはいない。これは、例えばデータワードのサイズがアドレス幅の代わりに調節可能であるメモリの場合である。大きなワードサイズが用いられる場合、各ワードの幾つかのビットは、小さなサイズからなる多くのワードが用いられるとき、アドレス接点として利用する接点に出力される。この場合、集積回路が組み込まれた電子回路の幾つかは当該接点を駆動させ、前記電子回路の他の回路は、これらの接点から単に信号を読み取るだけである。更に、他の電子回路は、電子回路が集積回路の他の出力を読み取るとき（再定義可能接点が例えばメモリのデータ入力／出力の１つとして使用されるとき）、同時に接点を駆動することができなくてもよい。
【０００８】
再定義可能接点が出力部として用いられる回路において、この回路は、完璧な試験を保証するために試験パターン変換器により、そのように使用されるべきであるが、前記再定義可能接点を出力部として使用しない回路において、再定義可能接点における信号が観測されることはない。それ故に、観測の組は完璧ではなく、それ故に、接続における幾つかの故障が幾つかの電子回路において観測できないままとなる。
【０００９】
【課題を解決するための手段】
とりわけ、本発明の目的は、この集積回路が、集積回路の再定義可能接点が入力部として利用する電子回路に使用される場合と、この再定義可能接点が試験中に出力接点として利用する電子回路に使用される場合との両方において、集積回路との接続試験を容易にする単一の集積回路を供給することである。
【００１０】
本発明は請求項１による集積回路を供給することである。この集積回路は、試験モードにおける第１及び第２の入出力関係を提供し、ある関係は、回路構成に依存して選択される。第１の入出力関係は、再定義可能接点が入力接点として使用され、第２の関係は、再定義可能接点が出力接点として使用されることである。これら関係は、再定義可能接点が入力接点及び出力接点としてそれぞれ用いられるようにして、縮退（”ｓｔｕｃｋ−ａｔ”）及びクロスコネクト（ｃｒｏｓｓ−ｃｏｎｎｅｃｔ）エラーの試験を可能にするように選択される。
【００１１】
すなわち、これら関係の各々は、前記接続を介してこの関係の入力部に与えられる幾つかの可能な信号値に対し、如何なる入力接点における信号又は出力接点からの接続が論理レベルで縮退する場合、若しくはこの信号の論理レベルが他の入力又は出力接点における信号の論理レベルから独立して変化しない場合、出力からの接続において予測される故障の無い信号からの観測可能な偏差となる。
【００１２】
特許請求の範囲は、再定義可能接点が複数の再定義可能接点の１つである条件も含み、入力／出力関係は、入力又は出力としてそれぞれ用いられるこの複数性を用いて試験容易性（ｔｅｓｔａｂｉｌｉｔｙ）を提供すると理解される。
【００１３】
本発明の集積回路の実施例において、試験パターン変換器は、排他的論理和ゲートの組を用いて達成され、これは、回路構成に依存して可能となる例えば３状態ドライバのような制御可能な結合を用いて実施される関係の間を切り換わり、入力／出力関係の両方を実現する。従って、試験容易性は、少量の回路を用いて実現される。
【００１４】
好ましくは、試験パターン変換器は以下の条件を満たす。
１）再定義可能入力部と再定義不可能入力部との両方からの各入力信号は、少なくとも１つの再定義不可能出力信号部に作用すべきである。
２）各出力部は、再定義不可能入力部からの２つの信号間に差があるかに少なくとも依存する信号を持つべきである。
３）２つの出力部は、同じように、再定義不可能入力部からの信号に依存する信号を持つべきではない。
４）再定義可能出力信号は、再定義されてもよい再定義可能入力信号に依存すべきではない。
【００１５】
他の実施例において、試験パターン変換器は、その１つが出力信号を送出するように選択され、回路構成に依存する２つのサブ変換器を用いて達成される。
【００１６】
【発明の実施の形態】
本発明による回路及び方法のこれら及び他の目的並びに利点は、以下の図面を用いてより詳細に説明される。
【００１７】
図１は、第１、第２及び第３の集積回路１０，１２，１４を有する電子回路の一部を示す。この電子回路は、第１及び第３の集積回路１０，１４に接続される試験インタフェースＴＳＴ／ＴＤＩ／ＴＤＯを持つ。第２の集積回路１２は、第１及び第３の集積回路１０，１４にそれぞれ結合されるバイナリ論理入力部１６及びバイナリ論理出力部１８を持つ。前記入力部１６の１つに対する第２の集積回路１２の接点１７が個々に示されている。第２の集積回路１２は、電源電圧Ｖｓｓに結合される構成選択入力部１３を持つ。実施例において、第２の集積回路１２は、アドレス入力部１６及びデータ入力／出力部１８を備えるフラッシュメモリでもよい。図１は電子回路の簡略化された部分しか示さない、実際には、集積回路１０，１２，１４の間に多くの様々な接続があってもよく、更に多くの集積回路が、第２の集積回路１２と第１又は第３の集積回路１０，１４との間に例えば中間ドライバを含む電子回路内に存在してもよいと理解される。好ましくは、この電子回路は、前記集積回路１０，１２，１４が搭載されたプリント回路基板を有する。
【００１８】
動作時において、第１の集積回路１０は、例えばアドレス信号のような信号を第２の集積回路１２に供給し、この第２の集積回路１２は、例えばデータ信号のような信号を第３の集積回路１４に供給する。この第２の集積回路１２の接点１７は、定義可能機能を持っている。図１の電子回路において、接点１７は入力部を接続するのに利用できるが、他の回路（図示せず）において、接点１７は出力部を接続するのに利用できる。入力部の利用と出力部の利用との間の選択は、構成選択入力部１３における電圧を用いて行われる（外部入力部１３は、構成が選択されることができる手段のほんの一例である。例えば、その１つがＶｓｓ又は他の電源電圧Ｖｄｄに接合される、又は特定の構成に対する集積回路のバージョンにのみ含まれる、溶断可能なヒューズ又は導体を介してチップ上に接続される入力部で用いられてもよい）。
【００１９】
フラッシュメモリの実施例において、このメモリは、例えば１６ビットワードを持つＮ個のアドレスのメモリとして構成されてもよく、８ビットワードからなる２Ｎ個のアドレスのメモリでもよい。接点１７は、１６ビットワードの構成においてデータビット出力部に利用することができ、８ビットワードの構成においてアドレスビット入力部に利用することができる。１つの再定義可能接点１７を示すことは単なる例であると理解される。実際には、更に多くのこのような再定義可能接点が存在してもよい。例えば、メモリは、８ビットからなるＮ個のアドレス及び１ビットからなる８Ｎ個のアドレスに対する構成であるとき、８ビットワードの構成からなるこれらデータビット出力部の３つは、１ビットワードの構成からなるアドレス入力部として用いられる。
【００２０】
電子回路は、通常モード及び試験モードで動作可能である。試験モードにおいて、試験信号は第１及び第３の集積回路１０，１４に書き込まれ、これら回路から読み取られる。しかしながら、第２の集積回路１２は、試験インタフェース用の接点を持たない。第２の集積回路への接続部１６及びこの集積回路からの接続部１８の試験を可能にするために、特別な手段が採られる。
【００２１】
図２は、集積回路１２の実施例を示す。この集積回路１２は、機能回路２０、試験パターン変換器２２、マルチプレクサ２４、３状態ドライバ（ｔｒｉ−ｓｔａｔｅ ｄｒｉｖｅｒ）２６及びモード切り換え回路２８を含む。入力部１６は、機能回路２０及び試験パターン変換器２２に結合される。これら機能回路２０及び試験パターン変換器２２は、マルチプレクサ２４を介して出力部１８に結合される。モード切り換え回路２８は、入力１６の幾つかを入力し、マルチプレクサ２４の制御入力部に結合される出力部を持つ。３状態ドライバ２６は、マルチプレクサ２４の出力部の１つと、再定義可能接点１７との間に結合される。構成選択入力部１３は、３状態ドライバ２６の制御入力部及び機能回路２０に結合される。この３状態ドライバ２６は、再定義可能接点１７に対する駆動結合部であるかを制御するのに利用する。同様な結果は、構成に依存して開いたり閉じたりするスイッチのような多くの他の回路を用いて達成されてもよい。
【００２２】
標準動作モードにおける動作において、モード切り換え回路２８は、機能回路２０からの出力信号を出力部１８及び３状態ドライバ２６へ送るためのマルチプレクサ２４に制御信号を出力する。機能回路２０は、入力部１６からの入力信号を入力として使用する。構成選択入力部１３からの信号は、機能回路２０が接点１７からの信号を入力として使用するか、及び機能ユニット２０の出力部２１の１つが出力として使用されるかを決める。出力部２１からの信号は、マルチプレクサ２１により３状態ドライバ２６へ送られる。図１に示される構成において、この３状態ドライバ２６はこの信号を接点１７へ送っていない。しかしながら、構成選択入力部１３に異なる信号が与えられる場合、３状態ドライバ２６は機能回路２０からの出力信号を接点１７へ供給する。
【００２３】
前記回路１２は、例えば起動時において、又は普段は禁止されている信号シーケンスを入力部１６に与えることによって試験モードの状態にする。試験モードに切り換えるのにどの状態が用いられるかは、本発明には関係ない。モード切り換え回路２８はこれら状態を検出し、それに応じて、試験モードを示す信号を出力する。このモードにおいて、マルチプレクサ２４は、パターン変換器２２からの出力信号を出力部１８及び３状態ドライバ２６へ送る。通常の動作モードのように、構成選択入力部１３における信号は、３状態ドライバ２６が試験回路２０からの出力信号を接点１７へ供給するかを決める。
【００２４】
試験パターン変換器２２は、縮退故障及びクロスコネクト故障に対し、集積回路１２への接続及びこの回路からの接続を試験することを可能にするように構成される。縮退故障は、例えば電源接続部と入力部又は出力部との間の短絡によって、入力部又は出力部を固定の論理レベルに留まらせる故障である。クロスコネクト故障は、２つの入力部、２つの出力部又は入力部及び出力部における信号が値のある組合せとなることを不可能にする故障である。これは、例えばこれら２つの入力部、２つの出力部又は入力部及び出力部が導電接続であるときに起こる。
【００２５】
試験中、１つが第１の集積回路１０からの試験信号の列を第２の集積回路１２へ供給し、この第２の集積回路１２からの出力信号を第３の集積回路に読み込む。好ましくは、試験信号は第１の集積回路１０に移送され、その結果生じる出力信号は、試験インタフェースＴＳＴ／ＴＤＩ／ＴＤＯを介して第３の集積回路１４から読み取られる。
【００２６】
観測され生じる出力信号と、試験パターン変換器２２の入力／出力関係に基づいて発生すべき出力信号との間の偏差を検出することによりエラーが検出される。試験パターン変換器２２の入出力関係は、第２の集積回路１２と第１及び第３の集積回路１０，１４との間の接続における全ての起こり得る縮退及びクロスコネクト故障を検出することを可能にするように選択される。
【００２７】
再定義可能接点１７の入力／出力機能を再定義する可能性が無いので、これは、入出力関係が３つの状態を満たすときに達成される。
１）各入力信号が少なくとも１つの出力信号に作用すべきである。
２）各出力信号が２つの入力信号間に差があるかに少なくとも依存すべきである。
３）２つの出力信号が同じようにして入力信号に依存すべきではない。
【００２８】
多くの回路はこれら必要条件を満たす。上記回路を構成する簡単な方法は、入力の集合を各出力に割り当てることであるため、各集合は２つの入力部を含み、２つの出力部に対する集合が特定されず、各入力部は、少なくとも１つの集合に属している。このとき、必要条件は、前記集合から入力の排他的論理和を計算し、この結果を前記集合と関連する出力部に供給する、各集合に対する個々のサブ回路を備える回路により達成される。
【００２９】
再定義可能接点を支持するために、追加の手段が必要とされる。図３は、再定義可能接点を支持するための試験パターン変換器２２の第１の実施例を示す。この変換器２２は、マルチプレクサ３０及び読み取り専用メモリ３２を含む。この変換器２２の入力部は、メモリ３２のアドレス入力部に結合される。前記再定義可能接点１７（図示せず）からの入力部３６は、マルチプレクサ３０の第１の入力部を介してアドレス入力部に結合される。マルチプレクサ３０の第２の入力部は、デフォルトの論理レベルＶｓｓに結合される。構成選択入力部３４は、変換器２２の制御入力部及びメモリ３２のアドレス入力部に結合される。
【００３０】
動作時において、メモリ３２が２つの入力／出力関係を記憶し、再定義可能接点１７の各起こり得る構成に対し１つの関係である。この入力／出力関係の第１の関係は、Ｎ＝８入力部且つＭ＝４出力部を用いて試験容易性を実施するための条件を満たし、この関係の第２の関係は、Ｎ−１＝７入力部且つＭ＋１＝５出力部を用いる試験容易性に対する条件を満たす。構成選択入力部３４からの構成選択信号は、どの入力／出力関係が、メモリの出力信号を決めるのに用いられるかを選択する。再定義可能接点が入力部として利用する構成において、この再定義可能接点からの信号は、マルチプレクサ３０によりメモリ３２のアドレス入力部に与えられる。再定義可能接点が出力部として利用する構成において、デフォルト信号Ｖｓｓは、再定義可能接点からの信号に代わりアドレス信号となる。
【００３１】
読み取り専用メモリ３２の代わりに、必要とされる入力／出力関係を実現する他の回路、例えば専用の論理回路又は相互接続される排他的論理和ゲートの組が使用されてもよい。Ｎ−１個の入力部を試験するための構成が選択されるとき、メモリ３２の出力部が入力部３４に依存しない場合、マルチプレクサ３０は、省略されてもよい（入力部３４からの信号だけがメモリ３２に供給される）。
【００３２】
図４は、再定義可能接点の試験容易性を実現するための変換器２２の他の実施例を示す。この変換器２２は、第１及び第２のサブ変換器４０，４２及びマルチプレクサを含む。集積回路の入力部は、両方のサブ変換器に結合され、再定義可能接点１７（図示せず）からの入力部４６は、第１のサブ変換器４０だけに結合される。両方のサブ変換器４０，４２の入力／出力関係は、再定義可能接点１７の構成の個々において各々が集積回路への接続における故障に対する試験を行うことを可能にする必要条件を満たすように構成される。第１のサブ変換器４０は、Ｎ（＝８）個の入力部且つＭ（＝４）個の出力部に対し構成され、第２のサブ変換器４２は、Ｎ−１個の入力部且つＭ＋１個の出力部に対し構成される。両方のサブ変換器４０，４２の出力部は、マルチプレクサ４４の入力部に結合される。第１のサブ変換器４０は、第２のサブ変換器４２よりも１つ少ない出力部を持つ。デフォルト信号Ｖｓｓは、この出力の代わりにマルチプレクサ４４に供給される。このマルチプレクサ４４の出力は、変換器２２の出力を形成する。
【００３３】
動作時において、構成選択入力部４８からの構成選択信号は、（デフォルト信号で補われる）第１のサブ変換器４０又は第２のサブ変換器４２の出力をこの構成に依存する変換器２２の出力部に送るように、マルチプレクサ４４を制御する。
【００３４】
図５は、入力部５４及び再定義可能接点１７（図示せず）に対する出力部５６を備える（本実施例では多数の入力部を備える）変換器５０の更に他の実施例を示す。本実施例において、排他的論理和ゲートの組５２ａ−ｉは、両方の構成に対し必要とされる入力／出力関係を達成する。これによって、この回路は、多目的変換器である。両方の構成に対する必要条件を満たすために、上記多目的変換器は、変更された必要条件を満たす入出力関係を持つように構成される。
１）再定義可能入力部５４及び再定義不可能入力部５８の両方からの各入力信号は、少なくとも１つの再定義不可能出力部５９の信号に作用すべきである。
２）各出力部５６，５９は、再定義不可能入力部５８からの２つの信号間に差があるかに少なくとも依存する信号を持つべきである。
３）２つの出力部５６，５９は、同じように、再定義不可能入力部５８からの信号に依存する信号を持つべきではない。
４）再定義可能出力部５６の信号は、再定義されてもよい再定義可能入力部５４の信号に依存すべきではない。
【００３５】
後者の条件は、回路がメモリ効果を示すことを防ぐ。動作時において、このような回路は、両方の構成において集積回路との接続の故障を試験することを可能にする必要とされる入力／出力関係を実現する。３状態ドライバ２６だけが構成を切り換える必要がある。条件４）が満たされない場合でも、試験は可能であるが、このような試験は、試験の一部として、試験パターン変換器のメモリ状態を確立することを含み、これにより更に複雑となる。
【００３６】
多くの回路は、これら必要条件を満たす。上記回路を設計する１つの簡単なやり方は、入力部の各々の集合を出力部と関連付け、各集合からの入力の排他的論理和をこの集合に関連する出力へ供給することである。各集合は、少なくとも２つの再定義不可能入力部を含むべきであり、２つの集合は、それの再定義可能入力部以外は同じにすべきではなく、各入力部は、少なくとも１つの集合に属するべきであり、再定義可能入力部は、再定義可能とされる再定義可能出力部の集合に属すべきではない。
【００３７】
図５は、前記必要条件を満たす回路を示す。排他的論理和回路（排他的否定論理和に等しい）の出力部は、その入力信号間の論理差に依存している。各入力部５６，５９は、再定義不可能入力部５８の排他的論理和の出力部に依存し、各入力部５４，５６は、少なくとも１つの再定義不可能出力部５９に作用し、２つの出力部は、前記入力部と同じ依存をしていないことが分かる。図５に示される回路は前記必要条件を満たすのに使用される回路の単なる一例であると理解される。
【００３８】
入力部及び出力部の数は、図に示される再定義可能な種類及び再定義不可能な種類の両方であり、単なる例として選択されると理解される。本発明から逸脱すること無く、他の数が選択されることができる。
【図面の簡単な説明】
【図１】電子回路の一部を示す。
【図２】集積回路を示す。
【図３】試験パターン変換器を示す。
【図４】他の試験パターン変換器を示す。
【図５】更に他の試験パターン変換器を示す。
【国際公開パンフレット】
2005500536.tif 000003
2005500536.tif 000004
2005500536.tif 000005
2005500536.tif 000006
2005500536.tif 000007
2005500536.tif 000008
2005500536.tif 000009
2005500536.tif 000010
2005500536.tif 000011
2005500536.tif 000012
2005500536.tif 000013
2005500536.tif 000014
2005500536.tif 000015
2005500536.tif 000016
2005500536.tif 000017
2005500536.tif 000018
2005500536.tif 000019
【国際公開パンフレット（コレクトバージョン）】
2005500536.tif 000020
2005500536.tif 000021
【国際調査報告】
2005500536.tif 000022
2005500536.tif 000023